(57)【要約】  適切な歩行と丈夫な足を増進する健康志向フットウェアが提供される。フットウェアは靴底を含む。靴底とともに構成されて、内底に対する足の横方向移動を実質的に防止するとともに使用者の足親指および残りの足指のうち一つ以上を少なくとも部分的に被覆せず露出させるように使用者の足を内底に固定保持する構造を持つ固定甲部も、フットウェアが含むとよい。足指整列構造は、立つ、歩く、走る、泳ぐ、および足の筋肉が使用されている他の動作の間に残りの足指から離す方向で足親指に力を誘導するように、固定甲部と靴底との間に構成されて使用者の足親指と残りの足指との間に延在する構造を持つとよい。
2013517055.tif 000002
【特許請求の範囲】
【請求項１】
靴底と、
前記靴底とともに構成されて、前記靴底の内底に対する使用者の足の横方向移動を実質的に防止するとともに前記使用者の足親指および残りの足指のうちの一つ以上を少なくとも部分的に被覆せず露出させるように前記内底に前記使用者の足を固定保持する構造を持つ固定甲部と、
前記固定甲部と前記靴底との間に構成されて、立つ、歩く、走る、泳ぐ、および前記足の筋肉が使用されている他の動作の間に前記残りの足指から離す方向で前記足親指に力を誘導するように前記使用者の前記足親指と前記残りの足指との間に延在する構造を持つ足指整列構造と、
を具備する健康志向フットウェア。
【請求項２】
前記固定甲部がストラップアセンブリを含む、請求項１に記載のフットウェア。
【請求項３】
前記内底に対する使用者の足の横方向移動を実質的に防止するように、前記靴底の前記内底が前記足を収容する形状の輪郭を与えられる、請求項１のフットウェア。
【請求項４】
前記靴底の中足部に延在する調節式ストラップを前記固定甲部が含む、請求項１のフットウェア。
【請求項５】
前記靴底が割れ靴底を含む、請求項１のフットウェア。
【請求項６】
前記割れ靴底が上敷きを含む、請求項５のフットウェア。
【請求項７】
前記足指整列構造がＶ字形を含む、請求項５のフットウェア。
【請求項８】
前記靴底の前部から延出する足指ガードをさらに含む、請求項５のフットウェア。
【請求項９】
前記靴底が高いヒールを含む、請求項１のフットウェア。
【請求項１０】
靴底と、
前記靴底の上に構成されて、使用者の足を収容する形状を持つとともに内底に対する前記足の横方向移動を実質的に防止する輪郭付き内底と、
前記靴底とともに構成されて、前記使用者の足親指と残りの足指のうち一つ以上を少なくとも部分的に被覆せず露出させる構造を持つ甲部と、
前記靴底ともに構成されて、立つ、歩く、走る、泳ぐ、および前記足の筋肉が使用されている他の動作の間に前記残りの足指から離す方向で前記足親指に力を誘導するように前記使用者の前記親指と残りの足指との間に延在する構造を持つ足指整列構造と、
を具備する健康志向フットウェア。
【請求項１１】
前記甲部がストラップアセンブリを含む、請求項１０のフットウェア。
【請求項１２】
前記内底に対する前記足の横方向移動を実質的に防止するように前記使用者の前記足を前記内底に固定保持する構造を持つ固定甲部を前記甲部が含む、請求項１０のフットウェア。
【請求項１３】
前記輪郭付き内底が陥入踵部カップを含む、請求項１０のフットウェア。
【請求項１４】
前記輪郭付き内底が隆起側壁を含む、請求項１０のフットウェア。
【請求項１５】
前記靴底が割れ靴底を含む、請求項１０のフットウェア。
【請求項１６】
前記割れ靴底が上敷きを含む、請求項１５のフットウェア。
【請求項１７】
前記足指整列構造がＶ字形を含む、請求項１５のフットウェア。
【請求項１８】
前記靴底の前部から延出する足指ガードをさらに含む、請求項１０のフットウェア。
【請求項１９】
前記靴底が高いヒールを含む、請求項１０のフットウェア。
【請求項２０】
靴底と、
前記靴底とともに構成されて、前記靴底の内底に対する使用者の足の横方向移動を実質的に防止して前記使用者の足親指と残りの足指のうち一つ以上を少なくとも部分的に被覆せず露出させるように前記靴底の前記内底に前記使用者の足を固定保持する構造を持つ固定甲部と、
前記靴底とともに構成されて、立つ、歩く、走る、泳ぐ、および前記足の筋肉が使用されている他の動作の間に前記残りの足指から離す方向で前記足親指に力を誘導するように前記使用者の前記足親指と残りの足指との間に延在する構造を持つ足指整列構造と、
を具備する、健康志向フットウェア。
【請求項２１】
前記靴底の中足部に延在する長尺の調節式ストラップを前記固定甲部が含む、請求項２０のフットウェア。
【請求項２２】
前記靴底の前記内底に対する使用者の足の横方向移動を実質的に防止するように前記足を収容する形状に前記内底が輪郭を与えられる、請求項２０のフットウェア。
【請求項２３】
前記靴底が割れ靴底を含む、請求項２０のフットウェア。
【発明の詳細な説明】
【技術分野】
【０００１】
本教示は、生体力学的に正しい位置に足を整列させるのに役立つ健康志向フットウェアに関連する。本教示はとりわけ、足指が自由に独立して動くようにしながら第１中足骨関節との整列状態に足親指を配置する足指整列構造を、足親指と残りの足指との間に有するフットウェアに関連している。フットウェアは、足が内底からずれるのを防止する固定構造も含む。フットウェアは、適切な歩行および丈夫な足を増進し、これは上半身の傷害を防止するのに役立つ。
【背景技術】
【０００２】
本出願は、包括的に援用されている２０１０年１月１５日出願の先願である米国仮特許出願第６１／２８２，３００号の優先権を主張する。本願はまた、やはり包括的に援用されている２０１１年１月１１日出願の米国特許出願第１３／００４，８５０号を援用している。
【０００３】
現代のフットウェアは、着用者の足指が自然な形で広がって機能するには狭すぎるつま先部分を有していることが多い。このようなフットウェアは足に制約を加えることで、時間とともに足および足指を変形させて非整列状態にする。すなわち、足指が相互に角度を成し、直立位置にある時または動作中に身体を安定させるように親指が広がるのではなく残りの足指の方を向くようになるのである。それぞれ健康な整列状態の足を非整列状態の足と比較した図１Ａおよび１Ｂを参照すると、この現象が観察される。非整列状態の足は、図１Ｂでは、比較的広い外反母趾角度ＨＶを有するものとして特徴が描かれている。
【０００４】
現代のフットウェアは、腱膜瘤、足底筋膜炎、外反母趾、踵部骨棘、骨棘、鶏眼、テーラー腱膜瘤、槌状趾、神経腫、およびアーチ崩れなどであるがこれらに限定されない足疾患を引き起こすか、これを悪化させることが分かっている。足の疾患は、例えば足首、膝、腰、背中、首の骨格または筋肉の非整列状態といった上体の疾患に対応することが多い。
【０００５】
健康な足では、身体のバランスを取るのを助けて圧力を足に分散させるように、足指が動いて広がる。こうして、足のアーチ、腱、骨、および筋肉が身体を支持するように一緒に機能する。残りの足指および踵部とのバランスを取るものとして作用するのは、足親指である。足親指と残りの足指と踵部とが足のアーチをしっかり固めて身体を支持する。例えば橋のようなアーチを形成する構造のように、アーチは上からの非常に大きな重量を支持することが可能である。しかしアーチの曲線の下から圧力が印加された場合には、アーチはすぐに弱くなって崩れることがある。この概念は足のアーチにも当てはまり、多くの人にとってアーチサポートの使用が実際には足の強度を弱めることがあるのはこのような理由による。
【０００６】
アーチをしっかり固めることに加えて、足親指の位置は、歩いているか走っている時には自然な歩行サイクルの終わりのつま先離れの際に重要である。足親指は一歩の終わりに踏み出す時に身体の重量を支持する。足親指が適切に整列されていない場合には、第１中足骨関節が身体の重量を支承して、時間とともに足が整列状態から外れる。足親指と第１中足骨関節と踵部が一直線に構成されていない図１Ｂに、非整列状態が示されている。この非整列状態は、残りの足指および踵部とのバランスを取るものとして足親指が作用するのを妨げる。この結果、腱膜瘤、足底筋膜炎、アーチ崩れ、槌状趾、および他の疾患が生じる。
【発明の概要】
【発明が解決しようとする課題】
【０００７】
したがって、現代のフットウェアが引き起こすダメージを解消するため足指および足を最も健康的な位置に移動させることにより足を再整列させることができるフットウェアの必要性が存在する。立つ、歩く、走る、泳ぐ際、および足の筋肉が使用されている他の活動中には、このようなフットウェアが足にとって有益である。
【課題を解決するための手段】
【０００８】
本教示は、靴底と固定甲部とを含む健康志向フットウェアを提供する。固定甲部は、靴底とともに構成され、靴底の内底に対する足の横方向移動を実質的に防止して、使用者の親指および残りの足指のうち一つ以上を少なくとも部分的に被覆せず露出させるように使用者の足を内底に固定保持する構造を持つ。足指整列構造は、固定甲部と靴底との間に構成され、立つ、歩く、走る、泳ぐ、および足の筋肉が使用されている他の動作の間に残りの足指から離す方向で足親指に力を誘導するように使用者の足親指と残りの指との間に延在する構造を持つ。
【０００９】
本教示はまた、靴底と輪郭付き内底とを含む健康志向フットウェアも提供する。輪郭付き内底は、使用者の足を収容して、内底に対する足の横方向移動を実質的に防止するような形状を持つ。甲部は、靴底とともに構成されて、使用者の足親指および残りの足指のうち一つ以上を少なくとも部分的に被覆せず露出させる構造を持つ。足指整列構造は靴底とともに構成され、立つ、歩く、走る、泳ぐ、および足の筋肉が使用されている他の動作の間に残りの足指から離す方向で足親指に力を誘導するように使用者の親指と残りの足指との間に延在する構造を持つ。
【００１０】
本教示はさらに、靴底と固定甲部とを含む健康志向フットウェアを提供する。固定甲部は靴底とともに構成され、靴底の内底に対する足の横方向移動を実質的に防止して、使用者の足親指および残りの足指のうち一つ以上を少なくとも部分的に被覆せず露出させるように内底に使用者の足を固定保持する構造を持つ。足指整列構造は、靴底とともに構成されて、立つ、歩く、走る、泳ぐ、および足の筋肉が使用されている他の動作の間に残りの足指から離す方向で足親指に力を誘導するように使用者の足親指と残りの足指との間に延在する構造を持つ。
【００１１】
様々な実施形態の付加的な特徴および長所の一部は以下に続く説明で提示され、一部はこの説明から明らかであるか様々な実施形態の実施により理解されるであろう。様々な実施形態の目的および他の長所は、説明部分で詳しく指摘される要素および組合せによって実現および達成されるであろう。
【図面の簡単な説明】
【００１２】
【図１Ａ】足親指と第１中足骨関節と踵部とが整列状態にある健康な足を示す。
【図１Ｂ】比較的広い外反母趾角度ＨＶを持つ非整列状態の足を示す。
【図２Ａ】本教示のフットウェアに固定され内底上の適切な位置にしっかりと保持さ
【図２Ｂ】内底に緩く保持され、内底に対して不適切な位置となるように内底に対してずれた足を示す。
【図３Ａ】好適な実施形態によるひも状甲部を含む本教示のフットウェアの代替的な側面図を示す。
【図３Ｂ】好適な実施形態によるひも状甲部を含む本教示のフットウェアの代替的な側面図を示す。
【図３Ｃ】図３Ａおよび３Ｂのフットウェアの上面図を示す。
【図４Ａ】実施形態による足指整列構造および固定構造を包含する他のタイプのフットウェアを示す。
【図４Ｂ】実施形態による足指整列構造および固定構造を包含する他のタイプのフットウェアを示す。
【図４Ｃ】実施形態による足指整列構造および固定構造を包含する他のタイプのフットウェアを示す。
【図４Ｄ】実施形態による足指整列構造および固定構造を包含する他のタイプのフットウェアを示す。
【図４Ｅ】実施形態による足指整列構造および固定構造を包含する他のタイプのフットウェアを示す。
【図４Ｆ】実施形態による足指整列構造および固定構造を包含する他のタイプのフットウェアを示す。
【図４Ｇ】実施形態による足指整列構造および固定構造を包含する他のタイプのフットウェアを示す。
【図４Ｈ】実施形態による足指整列構造および固定構造を包含する他のタイプのフットウェアを示す。
【図４Ｉ】実施形態による足指整列構造および固定構造を包含する他のタイプのフットウェアを示す。
【図５Ａ】実施形態によるグラディエータ型フットウェアに包含される足指整列構造を示す。
【図５Ｂ】実施形態によるウェッジ型フットウェアに包含される足指整列構造を示す。
【図５Ｃ】実施形態によるオープントゥパンプスに包含される足指整列構造を示す。
【図５Ｄ】実施形態による被覆グラディエータ型フットウェアに包含される足指整列構造を示す。
【図６Ａ】割れ靴底構成を含むフットウェアの実施形態を示す。
【図６Ｂ】割れ靴底構成を含むフットウェアの実施形態を示す。
【図６Ｃ】割れ靴底構成を含むフットウェアの実施形態を示す。
【図６Ｄ】割れ靴底構成を含むフットウェアの実施形態を示す。
【図６Ｅ】割れ靴底構成を含むフットウェアの実施形態を示す。
【図７Ａ】割れ靴底を有するフットウェアの上に構成される足指整列構造の実施形態を示す。
【図７Ｂ】割れ靴底を有するフットウェアの上に構成される足指整列構造の実施形態を示す。
【図７Ｃ】割れ靴底を有するフットウェアの上に構成される足指整列構造の実施形態を示す。
【図８】割れ靴底の足親指側に構成された足指整列構造を含む本教示のフットウェアを示す。
【図９Ａ】実施形態による足指整列構造の形状および構成と着用者の足との上面図を示す。
【図９Ｂ】実施形態による足指整列構造の形状および構成と着用者の足との上面図を示す。
【図９Ｃ】実施形態による足指整列構造の形状および構成と着用者の足との上面図を示す。
【図９Ｄ】実施形態による足指整列構造の形状および構成と着用者の足との上面図を示す。
【図９Ｅ】実施形態による足指整列構造の形状および構成と着用者の足との上面図を示す。
【図９Ｆ】実施形態による足指整列構造の形状および構成と着用者の足との上面図を示す。
【図１０Ａ】実施形態による足指整列構造の形状の斜視図を示す。
【図１０Ｂ】実施形態による足指整列構造の形状の斜視図を示す。
【図１０Ｃ】実施形態による足指整列構造の形状の斜視図を示す。
【図１０Ｄ】実施形態による足指整列構造の形状の斜視図を示す。
【図１０Ｅ】実施形態による足指整列構造の形状の斜視図を示す。
【発明を実施するための形態】
【００１３】
上記の大まかな説明と以下の詳細な説明の両方は例示的および説明的なものに過ぎず、本教示の様々な実施形態の説明を提供することを意図したものであることは言うまでもない。
【００１４】
本教示は、足親指１０と第１中足骨関節２０と踵部３０とを直線上に配置するように機能する足指整列構造５０を含む健康志向フットウェア１００に関連する。図２Ａは、本教示のフットウェア１００に固定されて、足の中心点を越えて靴底に装着される調節式ストラップアセンブリをこの場合には含む丈夫な固定構造６０により内底８０に正確に固定保持される足を示している。立つ、歩く、走る、および他の動作の間に、フットウェア１００の足指整列構造５０は固定構造６０とともに機能し、靴底の内底８０に足を固定して、足指が自由に独立して動くようにしながら生物力学的に正しい位置に足を整列させる。
【００１５】
フットウェア１０の構造は、作用中の正確な整列状態で足の筋肉を起動させて足の運動および強化を行うことにより、適切な歩行および丈夫な足を増進する。これに関して、本教示のフットウェア１００は、足の足親指１０の軸と第２中足骨関節２０との間に形成される角度である外反母趾角度ＨＶを積極的に狭くすることによって足を再整列させるように機能する。
【００１６】
図２Ｂに示されているように、残りの足指から離すように足指整列構造５０が足親指１０に加える力は、内底８０から足をずらし、これにより足の踵部３０は内底８０の外側または横側へ移動する傾向がある。後述するように、フットウェア１００の固定構造６０は、立つ、歩く、走る、および他の動作の間に足を正確に内底８０の上に固定保持および配置することで内底８０に対する横方向移動がほとんどまたは全く生じないように、十分な固定力を加えるような設計を持つ。
【００１７】
図２Ａおよび３Ａ〜３Ｃを参照すると、固定構造６０は、足指整列構造５０により足親指１０に加えられる力に反して内底８０に足を固定保持するように構成された固定甲部６２を含むとよい。固定甲部６２は、立つ、歩く、走る、および他の動作の間にフットウェア１００が着用される時に、内底８０に対する足の横方向ずれを実質的に防止する。そのため、固定甲部６２は、内底８０に足を保持および維持できる比較的丈夫なストラップを含むとよい。内底８０は実質的に平坦であるか、後述するように輪郭付きであってもよい。こうして固定甲部６２は、足指整列構造５０により加えられる力のすべてが足親指１０に誘導されるようにすることで、歩いているか走っている間に第１中足骨関節との整列状態に足親指を配置するように機能する。
【００１８】
付加的または代替的に、本教示のフットウェア１００の固定構造６０は、靴底７０の内底８０に足を収容して、横方向移動がほとんどまたは全くない状態で固定保持するような設計を持つ輪郭付き内底８２を含むとよい。少なくとも図３Ａ〜３Ｃに関して以下でさらに詳しく述べるように、輪郭付き内底８２は、全体的陥入内底、陥入踵部カップ、部分的または全体的な隆起側壁、槌状趾パッド、適度アーチ、足指ガード、および／または内底に適切に整列された足の維持を助けることのできる他の追加構造のうち一つ以上を含むとよい。輪郭付き内底８２は、陥入踵部カップの場合のように足の一部分を支持するように構成されるか、足の底部全体を支持するように構成されるとよい。固定甲部６２と同様に、輪郭付き内底８２は内底８０の上の定位置に足を固定することで、足指整列構造５０により加えられる力のすべてが足親指１０に誘導されて第１中足骨関節２０との整列位置に足親指１０を配置するように機能する。
【００１９】
内底８０または輪郭付き内底８２は、靴底７０と一体的に形成されても、靴底７０とは別の部材として形成されてもよい。
【００２０】
本教示の足指整列構造５０は、足親指１０を他の足指から分離するため残りの足指から離す方向で不整列状態の足親指に加えられる力を発生させる形状および構成を持つ。足指整列構造５０は、足親指１０または他の足指と接触した時にずれるか動くことのないようにフットウェア１００の靴底７０に固定支持された半剛性構造であるとよい。足指整列構造５０は、長さ、形状、および靴底７０の内底８０における位置が変化してもよい。足指整列構造５０の様々な形状が図７Ａ〜７Ｃ，９Ａ〜９Ｆ，１０Ａ〜１０Ｅに示されているが、ここに示されたものに限定されるわけではない。
【００２１】
図９Ｃおよび９Ｄに示されているように、足指整列構造５０は足親指１０と第２足指４０との間に長さ方向に延在し、足親指１０の全長にわたって伸びているとよい。足指整列構造５０はまた、フットウェア１００の靴底７０の前方先端から、足親指１０と第２足指４０との間のひだ（フリップフロップのひもが一般的に位置するところ）まで伸びていてもよい。図９Ｂに示されているように、足指整列構造５０の長さが短くなっているが、それでも足親指１０を真っ直ぐにさせることが可能であるとよい。このような場合、足親指１０と第２足指４０との間のひだまでは延在しないように、足指整列構造５０が短くなっているとよい。足指整列構造５０は、足親指１０を整列状態にするいかなる長さ、形状、または幅で足親指１０の中央長さに沿って伸びていてもよい。例えば、図９Ｅに示されているように、足親指１０と残りの足指との間の空間に沿ったいかなる箇所に足指整列構造５０が載置されてもよい。比較的重度の足の奇形では足指を完全に直線状にすることが不可能となるので、外反母趾による異なる程度の奇形にも対応するように、足指整列構造５０は図９Ｆのようにいかなる角度で内底８０に載置されてもよい。反対に、あるタイプの足については、足親指１０と残りの足指との間にもっと広がりが生まれるように足指整列構造５０が傾斜していてもよい。図１０Ｄおよび１０Ｅに示されているように、足親指１０および／または第２足指４０の内側のシルエットに対応するような形状を足指整列構造５０が有してもよい。
【００２２】
本教示のフットウェア１００のように全体的甲部のないフットウェアに足指整列構造５０を設けると、足の足指が垂直および水平方向に摩擦なしで自由に独立して動くようになる。その結果、フットウェア１００が着用されている時には、主な接触点は足親指１０の内側面である一方で、足指の残りの表面は被覆されずに、鶏眼、水疱、嵌入爪、およびその他などの疾患を生じる結果をもたらす摩擦点から自由となる。足指整列構造５０により、着用者の足親指１０は残りの足指から実質的に独立して動くことができる一方で、足親指１０と第１中足骨関節２０と踵部３０とが整列される。着用者が立っている時、また自然な歩行サイクルの終わりのつま先離れの際に足親指１０の整列および独立動作は重要であり、それはこうして着用者が素足での歩きおよび走りを再現できるからである。同時に、固定甲部６２および／または輪郭付き内底８２は、内底８０に足がしっかりと載置された状態にする安定要素として作用するとともに、足が内底８０からずれるのを防止する。
【００２３】
上記のように、本教示のフットウェア１０の設計により、足指整列構造５０により加えられる力が足親指１０に誘導されるようになる。使用中にこの力は、図２Ａに示されているように足親指１０と第１中足骨関節２０との間に形成される外半母趾角度ＨＶを狭くすることにより足を再整列する。足指整列構造５０により足親指１０に加えられる力は、足の筋肉を鍛えて、過度のアーチサポートがなくても足を適切な整列状態で支持する。この再整列は、非整列状態の足親指、足底筋膜炎、アーチ崩れ、およびその他など、現代のフットウェアにより生じる足の疾患と関連する苦痛および不快感を緩和または軽減できる。
【００２４】
本教示のフットウェア１００は、立つ、歩く、走る、および他の動作の間に適切な整列状態で筋肉を起動させ訓練することにより、着用者が積極的に足を強化できるようにする。これは、着用者が静止している時のみ足の整列を促進できる周知のフットウェアと対照的である。
【００２５】
同時に、本教示のフットウェア１００の構造は、足指を部分的に露出させる。フットウェア１００の開放性は、鶏眼、皮膚硬結、および腱膜瘤の形成を招く、立つ、走る、歩く、および他の動作の間の全体的甲部との摩擦による擦れを防止する。これは、足の足指のうち一つ以上のための包囲ポケットを含む周知のフットウェアと対照的である。このようなポケットでは、特に垂直方向には上下に、または水平方向には足から離れるように、足指が摩擦なく自由に動くことができない。
【００２６】
様々な実施形態によれば、本教示のフットウェア１００は、着用者の足親指１００を第１中足骨関節２０および踵部３０と整列させながら足親指を残りの足指から実質的に独立して動かし曲げることができる。フットウェア１００は、健康、回復、および治療の特性を有し、ファッショナブルに製作され、また着用者の足への着脱が容易である。フットウェア１００は、ビーチやロッカールームなどの濡れた状況でも使用可能である。さらに、本教示のフットウェア１００の特徴は、シューズの外観を損なうことなく他の型のフットウェアに容易に取り入れることができる。
【００２７】
図３Ａは、サンダル型シューズの形のひも状甲部を含む固定甲部６２と組み合わされた足指整列構造５０を含むフットウェア１００の好適な実施形態を示す。ひも状甲部６２は、靴底７０の片側から足の中足部に延在するように構成された調節式ストラップ６６を含む複数のストラップを有するとよい。ひも状甲部６２のストラップは、立つ、歩く、泳ぐ、走る、および他の動作の間に足の横方向ずれを防止する方法で靴底７０の内底８０の定位置に足をしっかりと固定するように構成されている。
【００２８】
好適な実施形態のフットウェア１００の内底８０の全部または一部が、輪郭付き内底８２を形成するように陥入していてもよい。輪郭付き内底８２は、立つ、歩く、走る、および他の動作の間に足の横方向支持を行って足のずれを実質的に防止することができる。輪郭付き内底８２は、全体的陥入内底８２、陥入踵部カップ８４、部分的または全体的な隆起側壁８６、槌状趾パッド、適度アーチ８８、部分的足指ガード９４、全体的足指ガード９６、および／または内底８０において適切に整列された足の維持を助ける他の追加構造のうち一つ以上を含むとよい。図３Ａの甲部６２に示されているように、隆起側壁８６は甲部６２の一部として一体的に形成されてもよい。
【００２９】
フットウェア１００の足指整列構造５０は、半剛性構造の形でよい。足指整列構造５０は、ひも状甲部６２のひもストラップ６４の下面に一端部が装着されるとよい。足指整列構造５０の他端部は、靴底７０の内底８０にしっかりと装着されるとよい。
【００３０】
様々な実施形態によれば、足指整列構造５０は一端部で靴底７０に装着され、反対の端部で固定甲部６２に接続されていなくてもよい。足指整列構造５０は、足親指１０を残りの足指から分離するように、足親指１０の長さに沿って足親指１０と第２足指４０との間で、靴底７０に対して実質的に垂直に延在するように構成されるとよい。足指整列構造５０は、靴底７０およびひもストラップ６４に対して可変角度に載置されるとよい。足指整列構造５０は、着用者の足のサイズに応じて、多様な形状、長さ、厚さ、および幅を有するとよい。図９Ａ〜９Ｆおよび１０Ａ〜１０Ｅを参照すること。足指整列構造５０は、固定甲部６２のひもストラップ６４と一体的に形成されるとよい。足指整列構造５０は、ひもストラップ６４と同じ材料で製作されても、異なる材料で製作されてもよい。足指整列構造５０は、内底８０および／または靴底７０と一体的に形成されてもよい。足指整列構造５０は、内底８０および／または靴底７０と同じ材料で製作されても、異なる材料で製作されてもよい。足指整列構造５０は、射出成形ＥＶＡ、圧縮成形ＥＶＡ、伸縮布、ゴム、皮革、合成皮革、およびその他など、多様な材料で製作されるとよい。
【００３１】
図３Ｃに最も分かりやすく示されているように、固定甲部６２は、フットウェア１００が好みに合ったフィット感を容易に提供するように調節式ストラップ類を含むとよい。調節式ストラップ類は、靴底７０の片側から延出して固定甲部６２の反対側に形成された開口部６８を通る調節式ストラップ６６を含むとよい。調節式ストラップ６６は足に締め付けられて、面ファスナ構成５８または当該技術で周知の他のファスナ構成を介して、それ自体に固定される。代替的に、固定甲部６２は非調節式である固定ストラップ類として形成されてもよい。固定甲部６２は、射出成形ＥＶＡ、圧縮成形ＥＶＡ、伸縮布、ゴム、皮革、合成皮革、およびその他など、足指安定部５０と同じ材料で製作されても、異なる材料で製作されてもよい。
【００３２】
フットウェア１００の靴底７０は、軟質の可撓性材料か、射出成形ＥＶＡまたはプラスチック、ゴム、皮革、コルク、およびその他などの比較的堅固な材料で製作されるとよい。靴底７０は、着用者の足に適度なアーチサポートを提供する形状を持つ。加えて、靴底７０は、快適性を増すための深い踵部カップ８４と追加緩衝材を備えてもよい。靴底７０は、同じか異なる材料による二つ以上の層の積層体として形成されてもよい。
【００３３】
図４Ｅのフットウェア１００に示されているように、本教示のフットウェア１００の外底７２は、グリップの向上または可撓性のため溝および／または筋７８を備えるとよい。外底７２の溝および／または筋７８は様々なデザインを有し、様々な奥行、厚さ、質感、色彩、およびその他のものでよい。外底７２は、ゴム、皮革、および合成皮革など多様な材料で製作されるとよい。外底７２は、靴底７０と同じ材料で製作されても、射出成形ラテックスＥＶＡ、ゴム、皮革、および合成皮革など多様な材料で製作されてもよい。外底７２は靴底７０と一体的に形成されてもよい。
【００３４】
様々な実施形態によれば、一体的に形成された単体ユニットとしてフットウェア１００が製作されるとよい。例えば、固定甲部６２と靴底７０とは、射出成形により単体ユニットして製作されるとよい。代替的に、フットウェア１００の固定甲部６２と足指整列構造５０と靴底７０とが別々の構成要素として製作されてもよい。例えば、一体的に形成された足指整列構造５０と別に製造された固定甲部６２とを備える圧縮成形による靴底７０をフットウェア１００が含むとよい。別の溝および／または筋７８が靴底７０に追加されてもよい。また、グリップまたは質感などのための装飾または実用目的で、別の内底層８０が靴底７０に重ねられてもよい。様々な実施形態によれば、別の足指整列部品５０と別に製造された固定甲部６２とを収容するスロットを備える靴底７０をフットウェア１００が含んでもよい。
【００３５】
様々な実施形態によれば、本教示のフットウェア１００は、サンダルなどのひも型フットウェアに限定されない。例えば図４Ａ〜４Ｉ、図５Ａ〜５Ｄ、図６Ａ〜６Ｄ、および図８に示されているような他の様々なタイプのフットウェア１００に、足指整列構造５０および固定構造６０が設けられてもよい。
【００３６】
例えば図４Ａは、足指整列構造５０と靴底７０に足を固定してずれを防止するように機能する踵部キャップ４２とを含むフットウェア１００を示している。
【００３７】
図４Ｂは、靴底７０と長尺の調節式ストラップ６７との間に延在する足指整列構造５０を含むフットウェア１００を示している。付加的または代替的に、靴底７０に足を固定して内底８２における足のずれを防止するために陥入内底８２が設けられるとよい。
【００３８】
図４Ｃは、内底８２での足の横方向ずれを防止する隆起側壁８６を備える足指整列構造５０を含むフットウェア１００を示している。付加的または代替的に、本教示のフットウェア１００の隆起側壁８６は、陥入踵部カップ８４など、輪郭付き内底８２の他の構成要素を含んでもよい。
【００３９】
図４Ｄは、上に延出する片持ち梁式の足指整列構造５０と、靴底７０に足を固定してずれを防止するため中足部に構成された長尺の調節式ストラップ６７とを含むフットウェア１００を示している。
【００４０】
図４Ｅは、調節式ストラップ６６と、靴底７０に足を固定するように構成された踵部カップ８４とを備える足指整列構造５０を含むフットウェア１００を示している。グリップの向上または可撓性のための溝および／または筋７８を備える外底７２が示されている。
【００４１】
図４Ｆは、一方の係留ストラップ６９’’が足を横側で保持して反対の係留ストラップ６９’が内側に巻き付いて靴底７０に足を固定するとともにずれを防止するという偏心ストラップ類を備える足指整列構造５０を含むフットウェア１００を示している。ストラップ類６９’’は、足の横方向ずれを防止するように、６９’’’の付近ではより丈夫な帯または剛性の高い硬度計で構成されるとよい。
【００４２】
図４Ｇは、踵部キャップ４２に接続されたストラップ構成とともに構成された足指整列構造５０を含むフットウェア１００を示している。ストラップ類構成および踵部キャップ４２は、靴底７０に足を固定してずれを防止するように機能する。代替例では、足の踵部の周囲に大きめの構造を設けて陥入踵部カップ８４などの輪郭付き内底を追加せずに横方向ずれを防止できるように、踵部キャップ４２の幅が広げられるとよい。
【００４３】
図４Ｈは、靴底７０に足を固定してずれを防止するように機能する踵部キャップ４２に接続された別のストラップ構成とともに構成された足指整列構造５０を含むフットウェア１００を示している。
【００４４】
図４Ｉは、靴底７０に足を固定してずれを防止する被覆グラディエータ型のシューズとして設けられた一つの連続部材により形成される固定甲部６２とともに構成された足指整列構造５０を含むフットウェア１００を示している。
【００４５】
図５Ａ〜５Ｄは、グラディエータ型フットウェア１１０、ウェッジ型フットウェア１２０、オープントゥパンプス１３０、および被覆グラディエータ型フットウェア１４０に設けられた足指整列構造５０をそれぞれ示している。図３Ａ〜３Ｃに示されたひもフットウェアと同様に、足親指１０を中足骨関節２０と整列させるため足親指１０と残りの足指との間で靴底７０の内底８０に対して実質的に垂直に足親指１０の長さに沿って延在するように、足指整列構造５０が構成されるとよい。
【００４６】
図５Ａのグラディエータ型フットウェア１１０に示されているように、固定甲部６２は、複数のフットストラップ７４と複数のアンクルストラップ７６とを含むとよい。固定甲部６２は、図５Ｄの被覆グラディエータ型フットウェア１４０に設けられるように一つの連続部材であってもよい。フットウェア１１０，１２０，１３０，１４０の各々では、ストラップは図示された数および幅に限定されず、フットまたはアンクルストラップ７４，７６を何本含んでもよい。ストラップ７４，７６は、プラスチック、皮革、合成皮革、およびその他など、多様な材料で製作されてもよい。
【００４７】
フットウェア１１０，１２０，１３０，１４０は、ウェッジヒール９０、または例えばプラットフォームヒール、スパイクヒール、およびその他など、他のタイプのヒール９０を含んでもよい。ヒール９０は多様な高さおよび幅であってもよい。使用時に、ヒール９０の形状から生じる角度で着用者の足に誘導される身体の圧力が、内底８０に足をしっかりと固定する保持力として固定甲部６２を補って、ずれを防止する。加えて、ここに開示される他のフットウェア１００のいずれも、ウェッジヒール、プラットフォームヒール、スパイクヒール、およびその他を含んでもよい。
【００４８】
図６Ａ〜６Ｅを参照すると、本教示のフットウェア１００は、様々な実施形態による割れ靴底を含んでもよい。図６Ａに示されているように、割れ靴底は、足指整列構造５０の付近の靴底７０にある切込み９０により形成されるとよい。切込み９０を設けて割れ靴底にすると、立つ、歩く、走る、および他の動作の間に、残りの足指に対する横方向と水平方向の両方における足親指１０の独立動作がさらに可能となる。
【００４９】
図６Ａおよび６Ｂに示されているように、切込み９０の付近において一端部ではひもストラップ６４の下面に、また他端部では靴底７０の内底８０に、足指整列構造５０が装着されるとよい。足指整列構造５０は、ひもストラップ６４と一体的に形成されるとよい。足指整列構造５０は、靴底７０と一体的に形成されても、別の独立した構造であってもよい。足親指１０の長さに沿って、靴底７０に対して実質的に垂直に、または何らかの角度で延在するように足指整列構造５０が構成されるとよい。また、足指整列構造５０は、足親指１０を残りの指から分離するように足親指１０と第２足指４０との間に延在してもよい。
【００５０】
図６Ｃに示されているように、靴底７０の上面は上敷き９２を含んでもよい。上敷き９２は、割れ靴底を形成する切込み９０を被覆するように靴底７０の上面に固定されるとよい。上敷き９２は、皮革、合成皮革、およびゴムなど、多様な材料で製作されるとよい。上敷き９２は、靴底７０と一体的に形成されても、図６Ｃに示されているように別の部材として固定されてもよい。
【００５１】
図６Ｄおよび６Ｅは、割れ足指整列部として構成された足指整列構造５０を含む、様々な実施形態によるフットウェア１００を示している。図６Ｅに最も分かりやすく示されているように、割れ足指整列部５０は、靴底７０に形成された割れ目または切込み９０の間で略Ｖ字形に外向きに延在する二つの整列構造５２，５４を含むとよい。フットウェア１００が着用者の足に載置されると、残りの足指から離す方向で非整列状態の足親指１０に加えられる力を整列構造５２が発生させるように、割れ足指整列部５０は足親指１０を残りの足指から分離させる機能を果たす。
【００５２】
図６Ｄを参照すると、靴底７０の前部から延出して、着用者の前足指のうち一つ以上を部分的に保護できるような形で上向きになっている部分的足指ガード構造９６がフットウェア１００に設けられてもよい。
【００５３】
図６Ｅを参照すると、靴底７０の前部から延出して、着用者の足の前足指のうち一つ以上を全体的に保護できるような形で上向きになっている全体的足指ガード構造９６がフットウェア１００に代替的に設けられてもよい。
【００５４】
図６Ｄおよび６Ｅのフットウェア１００は、中央足エリアに延在して靴底７０の定位置に足を固定して横方向のずれを防止するように構成された調節式ストラップ６６を有するひも状固定甲部６２も含むとよい。フットウェア１００は、全体的または部分的陥入内底、陥入踵部カップ８４、部分的または全体的な隆起側壁８６、槌状趾パッド、適度アーチ８８、または足が内底と適切に整列されるのを助ける他の追加構造のうち一つ以上を含む輪郭付き内底８２を含むとよい。
【００５５】
図７Ａ〜７Ｃは、割れ靴底を有する靴底７０に構成されるものとしての足指整列構造５０の多様な実施形態を示す。
【００５６】
すなわち、図７Ａは、靴底７０にある切込み９０の足親指側に構成された長尺プレートとして形成された足指整列構造５０の斜視図を示している。このような足指整列構造５０を包含するフットウェア１００は、図８に示されている。このフットウェア１００は、一体的な射出成形部材または様々な部材として製作されるとよい。
【００５７】
図７Ｂは、Ｖ字形に構成された二つの整列プレート５２，５４を含む割れ足指整列部５０の斜視図を示す。このような割れ足指整列部５０は、図６Ｄおよび６Ｅに示されたフットウェア１００に包含される。各整列プレート５２，５４は、靴底７０の切込み９０のいずれの側に構成されてもよい。
【００５８】
図７Ｃは、靴底７０にある切込み９０の残りの足指側に構成された長尺プレートとして形成された足指整列構造５０の斜視図を示している。
【００５９】
図９Ａ〜９Ｄは、様々な実施形態による足指整列構造５０の多様な形状および構成と着用者の足との上面図を示している。
【００６０】
図１０Ａ〜１０Ｅは、様々な実施形態による足指整列構造５０の様々な形状の斜視図を示している。
【００６１】
本教示のフットウェア１００は、固有受動フィードバックを身体に提供するため自然のままの生体力学的に正しい足の動きを促進する、素足で歩くおよび走る動作から発案されたものである。この範疇の周知のフットウェアは現在、足疾患をすでに持っており素足では歩けない人々の大部分を対象にしたものではない。本教示のフットウェア１００は、全体甲部からの摩擦なしで足親指を第１中足骨および踵部と整列させながら着用者の足親指が残りの足指から独立して動くようにする。こうして、現代のフットウェアが引き起こすダメージを解消するため、最も健康的な位置へ動くように足の再整列を行うのである。
【００６２】
当業者は、本教示が様々な形で実行され得ることを以上の説明から認識できるだろう。そのため、特定の実施形態およびその例に関連してこれらの教示が説明されたが、本教示の真の範囲がこれにより限定されるべきではない。教示の範囲から逸脱することなく、様々な変更および変形が行われてもよい。
【図１Ａ】
2013517055.tif 000003
【図１Ｂ】
2013517055.tif 000004
【図２Ａ】
2013517055.tif 000005
【図２Ｂ】
2013517055.tif 000006
【図３Ａ】
2013517055.tif 000007
【図３Ｂ】
2013517055.tif 000008
【図３Ｃ】
2013517055.tif 000009
【図４Ａ】
2013517055.tif 000010
【図４Ｂ】
2013517055.tif 000011
【図４Ｃ】
2013517055.tif 000012
【図４Ｄ】
2013517055.tif 000013
【図４Ｅ】
2013517055.tif 000014
【図４Ｆ】
2013517055.tif 000015
【図４Ｇ】
2013517055.tif 000016
【図４Ｈ】
2013517055.tif 000017
【図４Ｉ】
2013517055.tif 000018
【図５Ａ】
2013517055.tif 000019
【図５Ｂ】
2013517055.tif 000020
【図５Ｃ】
2013517055.tif 000021
【図５Ｄ】
2013517055.tif 000022
【図６Ａ】
2013517055.tif 000023
【図６Ｂ】
2013517055.tif 000024
【図６Ｃ】
2013517055.tif 000025
【図６Ｄ】
2013517055.tif 000026
【図６Ｅ】
2013517055.tif 000027
【図７Ａ】
2013517055.tif 000028
【図７Ｂ】
2013517055.tif 000029
【図７Ｃ】
2013517055.tif 000030
【図８】
2013517055.tif 000031
【図９Ａ】
2013517055.tif 000032
【図９Ｂ】
2013517055.tif 000033
【図９Ｃ】
2013517055.tif 000034
【図９Ｄ】
2013517055.tif 000035
【図９Ｅ】
2013517055.tif 000036
【図９Ｆ】
2013517055.tif 000037
【図１０Ａ】
2013517055.tif 000038
【図１０Ｂ】
2013517055.tif 000039
【図１０Ｃ】
2013517055.tif 000040
【図１０Ｄ】
2013517055.tif 000041
【図１０Ｅ】
2013517055.tif 000042
【国際調査報告】
2013517055.tif 000043
2013517055.tif 000044
2013517055.tif 000045